【事件の表示】
　平成１０年特許願第５３４６８３号「高速、高密度電気コネクタ」拒絶査定不服審判事件〔平成１０年　８月１３日国際公開、ＷＯ９８／３５４０９、平成１３年　７月３１日国内公表、特表２００１−５１０６２７〕について、次のとおり審決する。
【結　論】
　本件審判の請求は、成り立たない。
【理　由】
第１　手続の経緯
　
　本願は、平成１０年１月１５日（パリ条約による優先権主張１９９７年２月７日、米国）の特許出願であって、原審において平成１８年７月１２日付けで拒絶理由通知がなされ、平成１９年１月２４日付けで意見書及び手続補正書が提出されたが、平成１９年４月４日付けで拒絶査定がなされ、これに対し、平成１９年７月９日付けで審判請求がなされるとともに、同日付けで手続補正がなされたものである。
　
　
　
　
　
第２　補正却下の決定
　
　［補正却下の決定の結論］
　平成１９年７月９日付け手続補正を却下する。
　
　［理由］
１．補正の概要
　上記補正は、補正前の請求項１を減縮するとともに、請求項２４ないし２７を追加するものである。
　
２．平成１８年改正前特許法第１７条の２第４項の規定に関する検討
　補正後の請求項２６は、次のとおりのものである。
「【請求項２６】
　本体部分が広面で実質的に干渉を及ぼさない第１の導電性板と、
　前記第１の導電性板に隣接した信号導体と、
　前記本体部分において前記第１の導電性板の上に配置されると共に前記信号導電体に隣接して配置された捩り接触子と、
　前記捩り接触子と接触した第２の導電性板であって、前記信号導体から前記捩り接触子を介して前記第１の導電性板に至りさらに第２の導電性板を経て前記信号導体に帰還する基準信号経路を形成してなる前記第２の導電性板と、
を備えたことを特徴とする電気コネクタ。」
　これに対して、補正前の各請求項の内、独立請求項は、請求項１，８、及び、１４であり、この補正前の請求項１に記載されていた「ピンヘッダ」は、補正後の請求項２６には記載されていない。また、補正前の請求項８に記載されていた「バックプレーン」、及び、補正前の請求項１４に記載されていた「複数の信号接触子のコラム」も、補正後の請求項２６には記載されていない。
　そうすると、補正後の請求項２６は、補正前の請求項１，８、及び、１４のいずれかを減縮するものではなく、また当然のことながら、これらの独立請求項を引用する、他の請求項を減縮するものでもないので、この補正後の請求項２６に関する補正は、平成１８年改正前特許法第１７条の２第４項第２号で言う「特許請求の範囲の減縮」を目的とするものではない。
　さらに、この補正後の請求項２６に関する補正は、請求項の削除、誤記の訂正、または明瞭でない記載の釈明を目的とするものでもない。
　
３．まとめ
　したがって、この補正後の請求項２６に関する補正は、平成１８年改正前特許法第１７条の２第４項第１号ないし第４号のいずれをも目的とするものではないので、他の補正については検討するまでもなく、上記平成１９年７月９日付けの手続補正は、上記第４項各号の規定に違反するものであり、特許法第１５９条第１項の規定において読み替えて準用する同法第５３条第１項の規定により却下すべきものである。
　
　
　
　
　
　
　
第３　本願発明についての検討
　
１．本願発明
　平成１９年７月９日付け手続補正は、上記のとおり却下されたので、本願の請求項１ないし２３に係る発明は、平成１９年１月２４日付け手続補正によって補正された明細書及び図面の記載からみて、その請求の範囲の請求項１ないし２３に記載された事項により特定されるのものである。したがって、本願の請求項８に係る発明（以下、「本願発明」という。）は、次のとおりのものである。
「【請求項８】
　バックプレーンと、少なくとも１つのドーターカードとを備えたバックプレーン組立体に組み込まれる電気コネクタにおいて、
　　　ａ）第１のコネクタ片であって、
　　　　　i）複数のピン状の形状をした信号接触子であって、各信号接触子が、前記バックプレーンに取り付けられた端縁部を有し、前記ピンの形状をした信号接触子が複数の平行なコラム内に配置されている複数のピンの形状をした信号接触子、及び、
　　　　　ii）第１の複数のシールド板であって、各シールド板が、信号接触子を備えた隣接したコラムの間に配置されると共に、該シールド板から伸長すると共に前記バックプレーンに取り付けられた複数の端縁部を有し、各シールド板の各端縁部が、信号接触子を備えた前記同一コラム内で、隣接する信号接触子を備えた端縁部の間に配置され、各シールド板に対して１つの端縁部が、信号接触子を備えた隣接したコラムの各対の隣接した信号接触子間に配置された複数の第１のシールド板を有する第１のコネクタ部片と、
　　　ｂ）第２のコネクタ部片であって、
　　　　　i）、複数のレセプタクル信号接触子であって、複数の平行なコラム内に、各レセプタクルがピンの形状をした信号接触子と係合するように配置された複数のレセプタクル信号接触子、及び、
　　　　　ii）複数の第２のシールド板であって、各シールド板がレセプタクル信号接触子を備えた隣接したコラムの間に配置され、前記複数の第２のシールド板の各々が前記複数の第１のシールド板の１つと機械的に係合し、接触子アームが前記複数の第１又は第２のシールド板の２つの点において取り付けられている複数の第２のシールド板を有している第２のコネクタ部片とを備えていることを特徴とする電気コネクタ。」
　
　
２．引用刊行物
　原査定の拒絶の理由に引用された刊行物
　　特開平４−２９４０７６号公報
　　　　　　　　　（以下、「引用刊行物」という。）
　
　
　
３．引用刊行物に記載された発明
《記載事項》
　引用刊行物には、図面と共に、次のａ．ないしｊ．の記載がある。
ａ．「【０００１】
【産業上の利用分野】
本発明は電気コネクタに関し
システムに使用される高密度、高周波用電気コネクタに関する
【０００２】
【従来の技術及びその問題点】最近の電子工業分野では高周波及び高速度信号用コネクタの使用、特にマザーボード（母基板）若しくはバックプレーン（背板）上の回路とドータカード（子基板）若しくは他の回路装置とを相互接続するコネクタの使用が必要とされている。・・・・・
【０００３】
【課題を解決する為の手段】従って本発明は改良した高密度、高周波用コネクタシステムに関する。それにより、低密度に配列されたコンタクト部材の好ましい電気的特性を維持しながらコンタクト部材の一層接近した高密度コネクタに適用できる。本発明はインピーダンス制御を必要とする
コネクタ組立体の第１及び第２の嵌合し合うコネクタ
コネクタ組立体のコネクタは
信号用コンタクト部材の行間に延びる多数列の接地用コンタクト部材
を含む
【０００４】本発明は、更に単一のコンタクト部材の
隣接する行間の
接地用コンタクト若しくはシールド部材
【０００５】本発明の目的は低密度のコネクタシステムの優れた電気的特性を維持する高速、高密度のコネクタシステムを提供することである。
【０００６】本発明の他の目的は高密度に配列された信号用コンタクトの隣接する列間に配置された接地用シールドを有するコネクタシステムを提供することである。」（なお、下線は当審が付した。以下、同じ。）
　
ｂ．「【０００７】
【実施例】図１に示す如く本発明の電気コネクタシステム１０は第１及び第２の嵌合し合うコネクタ部材１２、７０を含む。
第１コネクタ部材１２は業界では”ピンヘッダ”
バックプレーン（背板）又はマザーボード（母基板）１３０
第２コネクタ部材７０は”リセプタクル”と称されており
ドータボード（子基板）
１３６
マザーボード１３０の開口
１３４の配置形状により
接地用コンタクトとは
電気的特性が改善される
接地用の開口１３４
【０００８】図１乃至図６に第１、第２コネクタの構造を示す。第１コネクタ即ちピンヘッダ１２は嵌合面１６及び取付面１８を有するハウジング１４を含む。ハウジング１４はペース２０、対向する側壁２４及び対向する端壁２６を含む。それらは協働してキャビティ３２を形成し、信号用コンタクト５２及び接地用コンタクト５８がキャビティ３２内に配置される。図７及び図１０に最もよく示す如くハウジング１４のペース２０は嵌合面１６から取付面１８に貫通し信号用コンタクト５２を受容する複数の通路３８及び、接地用コンタクト５８を受容する複数のスロット４２を含む。図１及び図２に示す如く、端壁２６は更に外方に延びるフランジ２８を含みピンヘッダ１２をマザーボード１３０に取付ける為の業界で周知の固定手段（ここには図示せず）を受容する貫通孔３０を有する。
【０００９】
信号用コンタクト５２はピンヘッダ１２内に
行３６
として配置されている
複数の接地用コンタクト５８は信号用コンタクト５２の選択された列３４間に列３５として配置される
各接地用コンタクト５８は
ハウジング１４の各スロット４２内に配置された横方向の本体部６０を有する。スロット４２は信号用コンタクト５２の各行３６間に配置されている
【００１０】図３乃至図６を参照して、
信号用コンタクト５２は
マザーボード１３０
と係合する第２接続部５６
接地用コンタクト５８は
反対側縁部から方に延びる１対の下部ポスト６６を有する
　
ｃ．「【００１１】図７、図８及び図１２に断面図で示した如く接地用コンタクト５８はハウジング１４に配置されその本体部６０は接地用のスロット４２に沿い且つピンヘッダ１２の幅を横断するように延びる。図１２に最もよく示す如く接地用のスロット４２はその端部に凹部４４が形成されており接地用コンタクト５８の本体部６０の中心出しをしてハウジング１４のベース２０内の所定の位置に密嵌して接地用コンタクト５８は係合固定される。接地用のスロット４２は本体部６０の両側に空気溜（又は空隙）４６を設けるように形成されている。
　　　　　　　　　　・・・・・
図３及び図４には信号用コンタクト５２及び接地用コンタクト５８を各々示しており、各コンタクト５２及び５８をマザーボード１３０の対応する開口１３２及び１３４に保持するコンプライアント部を有している。半田テール及び他の形状は業界で既知のものが使用できる。他の図ではコンプライアント部は省略してある。」
　
ｄ．「【００１２】図１、図６及び図７、図１０に断面でリセプタクル７０の構造を示す。リセプタクル７０は嵌合面７４及び取付面７６を有するハウジング７２を含む。ハウジング７２は側部８０及び端部８２を有する本体部７８を含む。端部８２はそこから延びるフランジ８４を有する。フランジ８４はピンヘッダ１２の外方に突出するフランジ２８を受容するように形成した部分８６を含む。図７及び図１０に示す如くリセプタクル７０のハウジング７２は更にそれを貫通して延び信号用コンタクト１０２を受容する複数の通路９２及び接地用コンタクト１１０を受容する複数の接地用のスロット９４を含む。図１及び図６を再度参照して
各信号用コンタクト１０２はピンヘッダ１２の信号用コンタクト５２の第１接続部５４と接触する第１接続部１０４
第２の接地用コンタクト１１０は
ばね部材１１６は湾曲部１１７を有し
リセプタクル７０の信号用コンタクト１０２及び接地用コンタクト１１０は行列状に配置され
ピンヘッダ１２とリセプタクル７０の各信号用コンタクト及び接地用コンタクトは電気的に相互接続される
【００１３】接地用コンタクト１１０は更にドータボード１３６の対応する接地回路用の開口１４０と相互接続する第２接続部１１８、１１９を有する。この実施例に示す如く第２接続部１１９は板部１１２の後方の角度のついた部分から下方に延びているので、図１に最もよく示す如く信号用の開口１３８の行と実質的に同一に配置された接地回路用の開口１４０に挿入される。ドータボード１３６上の信号及び接地用の開口１３８の配列によりボードは回路トレース（図示せず）に利用できる”穴のない”一層広い領域を有するようになる。
【００１４】リセプタクル７０は更に図１及び図１７に拡大断面で示すオーガナイザプレート（形成板）１２０を含む。オーガナイザプレート１２０は図７乃至図１１にも断面で示す如く、それを貫通する開口１２２を含み、信号用コンタクトの第２接続部１０８及び接地用コンタクト１１０の第２接続部１１８、１１９を受容する。図１７、図１８及び図１９に一層明確に示す如く、オーガナイザプレート１２０は更に複数のスロット１２１を含み、そのスロット１２１はリセプタクル７０内の所定の位置に接地用コンタクト１１０の板部１１２の縁部を保持する。オーガナイザプレート１２０はリセプタククル７０の信号用コンタクト１０２と接地用コンタクト１１０の各第２接続部１０８；１１８、１１９をドータボード１３６の対応する開口１３８、接地回路用の開口１４０に係合するように整列させ、また接地用コンタクト１１０と信号用コンタクト１０２との適切な間隔を維持するために使用される。図６ではオーガナイザプレート１２０は省略してある。」
　
ｅ．「【００１５】図１、図２及び図６に示す如く、接地用コンタクト５８、１１０は信号用コンタクト５２、１０２の列間に配置されストリップラインコネクタシステムと称されるコネクタシステムとなる。接地用コンタクト５８、１１０は各々スロット４２、９４に配置される。スロット４２、９４は各々信号用コンタクト５２、１０２の配列を横切るように延び、各スロット内の中心に配置された接地用コンタクト５８、１１０と一体になった各本体部６０、板部１１２を正確に維持し且つ制御している。スロット４２、９４は接地用コンタクト５８、１１０の厚さよりも大きく選定された幅を有している。凹部４４及び手段９６が両ハウジング１４、７２に設けられ、幅広のスロット４２、９４内に接地用コンタクト５８、１１０を中心として制御された幅を有する空気溜４６、９８を接地用コンタクトの両側に形成する。それによりコネクタ組立体を通して、即ちその全長にわたりインピーダンスが制御される。」
　
ｆ．「【００１６】本発明の電気コネクタシステムの組立体は図７乃至図１１に断面で示し、図１２乃至図１６に組立状態を示す。図７及び図８に相対する接地用コンタクト５８、１１０の相互接続を示し、ピンヘッダ１２とリセプタクル７０が互いに嵌合するとリセプタクル７０の接地用コンタクト１１０の刃部１１４の
ばね部材１１６の湾曲部１１７が
第１ポスト６２のリブ６４の表面６５に接触する
電気的相互接続が確実になされる
板部１１２の第２接続部１１９を含む角度のついた部分は信号用コンタクト１０２の対向する列間の所定の位置に固定して
【００１７】図７に示す如くハウジング１４の上面２２に当接する接地用コンタクト１１０の頂部を有するコネクタの嵌合面からピンヘッダ１２内に信号用及び接地用コンタクト５２、５８が挿入される。図３及び図４に示す如く、これらのコンタクトはプリント板の対応する開口内に確実に係合する為にコンプライアント部を有することが望ましい。好適実施例では全てのコンタクトはこのコンプライアント部を有することが望ましい。リセプタクル７０はハウジング７２の後部から各通路９２及びスロット９４中に信号用及び接地用コンタクトを挿入して組立てられる。次にオーガナイザプレート１２０がコンタクトの端部に冠せられてハウジング７２にコンタクトを保持する。
【００１８】本発明の高密度コネクタシステムはコンタクトの間隔（ピッチ）を２ｍｍとすることが必要な用途の如きメトリックパッケージに特に適する。現在入手可能なコネクタの代表的なコンタクト間隔の２．５４ｍｍの代りに２ｍｍ　にした場合、信号用及び接地用コンタクトの同数列の数を有するコネクタと比べ信号用コンタクトの密度は２７％増大する。」
　
ｇ．「【図面の簡単な説明】
　　　　　　　　　　・・・・・
【図８】
図２のリセプタクル及び図６のピンヘッダの嵌合後
　
ｈ．図２，３，１０，１１には、ピンヘッダ１２内に配置されている
複数の信号用コンタクト５２は形状がピン形状であり、下端部に第２接続部５６を有するものである
複数の平行な行３６として
　
ｉ．図２，３，７，８，１０，１１には、
信号用コンタクト５２の一つの行３６内で隣接する信号用コンタクト５２の第２接続部５６間に、接地用コンタクト５８から延びる１対の下部ポスト６６がそれぞれ設けられている
信号用コンタクト５２の多数の行３６間に、多数列の接地用コンタクト５８がそれぞれ配置される
　
ｊ．図６，１０，１１，１３ないし１５には、リセプタクル７０の信号用コンタクト１０２及び接地用コンタクト１１０が行列状に配置され、
信号用コンタクト１０２は複数の互いに平行な行を形成し
接地用コンタクト１１０は隣接するこれらの行の間に配置される
　
　
《発明の認定》
したがって、引用刊行物には、
「バックプレーン（背板）１３０と、ドータボード（子基板）１３６とを、第１コネクタ部材(ピンヘッダ)１２及び第２コネクタ部材(リセプタクル)７０の組立体により相互接続するシステムに使用される電気コネクタにおいて、
　　　第１コネクタ部材(ピンヘッダ)１２であって、
　　　　　複数のピン形状をした信号用コンタクト５２であって、これらの信号用コンタクト５２が、前記バックプレーン１３０と係合する第２接続部５６をその下端部に有し、これらのピン形状をした信号用コンタクト５２が複数の平行な行３６として配置されている複数のピン形状をした信号用コンタクト５２、及び、
　　　　　複数の接地用コンタクト５８であって、これらの接地用コンタクト５８は信号用コンタクト５２の各行３６間に配置されると共に、これらの接地用コンタクト５８から延び、バックプレーン１３０の接地用開口１３４と係合する１対の下部ポスト６６を有し、接地用コンタクト５８から延びる１対の下部ポスト６６が、信号用コンタクト５２の一つの行３６内で隣接する信号用コンタクト５２の第２接続部５６間にそれぞれ設けられ、信号用コンタクト５２の多数の行３６間に、多数列の接地用コンタクト５８がそれぞれ配置された複数の接地用コンタクト５８を有する第１コネクタ部材(ピンヘッダ)１２と、
　　　第２コネクタ部材（リセプタクル）７０であって、
　　　　　複数の信号用コンタクト１０２であって、信号用コンタクト１０２は複数の互いに平行な行を形成し、行内の各信号用コンタクト１０２がピン形状をした信号用コンタクト５２と接触するように配置された複数の信号用コンタクト１０２、及び、
　　　　　複数の第２の接地用コンタクト１１０であって、各接地用コンタクト１１０が信号用コンタクト１０２の隣接する行の間に配置され、前記複数の第２の接地用コンタクト１１０の各々が、その湾曲部１１７が前記接地用コンタクト５８の表面６５に接触することにより、この接地用コンタクト５８と電気的に相互接続され、そのために、湾曲部１１７を有するばね部材１１６が設けられている複数の第２の接地用コンタクト１１０を有している第２コネクタ部材(リセプタクル)７０とを備えている電気コネクタ。」
という発明が記載されている。
　
　
４．対比
　本願発明（上記、１．参照）と、引用刊行物に記載された発明とを対比する。
　
《用語の対応》
　引用刊行物に記載された発明の、
・ドータボード（子基板）１３６、
・第１コネクタ部材(ピンヘッダ)１２、
・ピン形状をした信号用コンタクト５２、
・第２接続部５６、
・行３６、
・接地用コンタクト５８、
・下部ポスト６６、
・第２コネクタ部材(リセプタクル)７０、
・信号用コンタクト１０２、
・平行な行、
・第２の接地用コンタクト１１０、
・表面６５に接触する、
・湾曲部１１７を有するばね部材１１６、
は、本願発明の、
・ドーターカード、
・第１のコネクタ片、
・ピン状の形状をした信号接触子、
・ピン状の形状をした信号接触子が有する端縁部、
・コラム、
・第１のシールド板、
・第１のシールド板から伸長する端縁部、
・第２のコネクタ部片、
・レセプタクル信号接触子、
・平行なコラム、
・第２のシールド板、
・機械的に係合し、
・接触子アーム、
にそれぞれ相当すると認められる。
　
《隣接したコラムに関する検討》
　本願の請求項８のａ）ii）には、「・・・各シールド板の各端縁部が、信号接触子を備えた前記同一コラム内で、隣接する信号接触子を備えた端縁部の間に配置され、各シールド板に対して１つの端縁部が、信号接触子を備えた隣接したコラムの各対の隣接した信号接触子間に配置された・・・」と記載されている。
（なお、この日本語翻訳文に対応する、英語の原文は、国際公開第９８／３５４０９号パンフレットに記載された請求項８によれば、「・・・each tail portion of each shield plate being disposed between tails portions of adjacent signal contacts within the same column of signal contacts,wherein,for each shield plate,there is one tail portion between each pair of adjacent signal contacts in an adjacent column of signal contacts・・・」である。）
　上記、本願の請求項８のａ）ii）における記載に対して、引用刊行物に記載された発明では、「・・・接地用コンタクト５８から延びる１対の下部ポスト６６が、信号用コンタクト５２の一つの行３６内で隣接する信号用コンタクト５２の第２接続部５６間にそれぞれ設けられ、信号用コンタクト５２の多数の行３６間に、多数列の接地用コンタクト５８がそれぞれ配置された・・・」（上記３．《発明の認定》の項参照。）とされている。このように、信号用コンタクト５２の行３６は１組だけではなく、何組も存在するのであるから、同刊行物記載の発明において、接地用コンタクト５８の１対の下部ポスト６６が、“一つの行３６”内で隣接する第２接続部５６間に設けられるとともに、この“一つの行３６”にこの接地用コンタクト５８をはさんで隣接する“隣接した行３６”に対しても、この接地用コンタクト５８の下部ポスト６６の各々が、この“隣接した行３６”の内部で隣接する（対をなす）第２接続部５６の間にそれぞれ設けられているのは自明である。
　
《一致点》
　したがって、本願発明と、引用刊行物に記載された発明とは、
「バックプレーンと、少なくとも１つのドーターカードとを備えたバックプレーン組立体に組み込まれる電気コネクタにおいて、
　　　ａ）第１のコネクタ片であって、
　　　　　i）複数のピン状の形状をした信号接触子であって、各信号接触子が、前記バックプレーンに取り付けられた端縁部を有し、前記ピンの形状をした信号接触子が複数の平行なコラム内に配置されている複数のピンの形状をした信号接触子、及び、
　　　　　ii）第１の複数のシールド板であって、各シールド板が、信号接触子を備えた隣接したコラムの間に配置されると共に、該シールド板から伸長すると共に前記バックプレーンに取り付けられた複数の端縁部を有し、各シールド板の各端縁部が、信号接触子を備えた前記同一コラム内で、隣接する信号接触子を備えた端縁部の間に配置され、各シールド板に対して１つの端縁部が、信号接触子を備えた隣接したコラムの各対の隣接した信号接触子間に配置された複数の第１のシールド板を有する第１のコネクタ部片と、
　　　ｂ）第２のコネクタ部片であって、
　　　　　i）、複数のレセプタクル信号接触子であって、複数の平行なコラム内に、各レセプタクルがピンの形状をした信号接触子と係合するように配置された複数のレセプタクル信号接触子、及び、
　　　　　ii）複数の第２のシールド板であって、各シールド板がレセプタクル信号接触子を備えた隣接したコラムの間に配置され、前記複数の第２のシールド板の各々が前記複数の第１のシールド板の１つと機械的に係合し、接触子アームが前記複数の第１又は第２のシールド板において取り付けられている複数の第２のシールド板を有している第２のコネクタ部片とを備えていることを特徴とする電気コネクタ。」
で一致する。
　
《相違点》
　そして、両発明は下記の点で相違する。
　相違点：本願発明では、接触子アームが複数の第１又は第２のシールド板の「２つの点」において取り付けられているが、引用刊行物に記載された発明では、湾曲部１１７を有するばね部材１１６が、上記のように「２つの点」で取り付けられていない点。
　
　
５．判断
《相違点についての検討》
　電気コネクタにおいて接触子アームを２つの点において取り付けることは、周知の技術にすぎない。
（もし、周知文献が必要であれば、
　　・実願昭６０−６８１２８号（実開昭６１−１８４２８５号）の
　　　マイクロフィルム
「第１図は本考案の一実施例としての電気コネクタ（レセプタクル）で、絶縁ハウジング３より金属フード１を取り出した一部破断した斜視図であり、
第２図は
金属フード
の半断面図である
接触片１３は
そのほぼ中央部には、ばね性をよくするためのスリット１７が設けられており
「
第３図及び第４図は
接触片１１０のほぼ中央部には、ばね性をよくするためにスリット１１２が設けられ
　　・特開平８−２５５６５８号公報
「【０００７】
【発明が解決しようとする課題】本発明の目的は、接地コンタクト及び電源コンタクト又は信号コンタクトを有する電気コネクタ・アッセンブリー内の開閉接地接続用の電気的接地コンタクトの製造における改善された経済性を提供することにある。」
「【００２８】各コンタクト受入れ空洞８２、８４には
図５及び図６に示されている
コンタクト・バネ１１４は一対のバネ・アーム１１６を含み、各バネ・アームはコンタクト・バネ１０８の対向側部上でベース１０２の前方縁部から延在し
その前方端部において結合されている
【００２９】・・・ブレード・コネクタ４が図２の位置へ進められると、・・・タブ６４は絶縁ハウジング７２の中央のコンタクト受入れ空洞８２内における接地レセプタクル・コンタクト９６のコンタクト面１１０、１２０の両者の間で係合する。従って、電気的電源モジュール２の接地回路は・・・電源回路の前に作成される。」
等を参照。）
　したがって、この周知技術を、引用刊行物に記載された発明に組み合わせ、上記相違点における本願発明の構成に到達することは当業者であれば容易である。
　　
　
《発明の効果についての検討》
　本願発明の効果は、引用刊行物に記載された発明、及び、周知の技術に基づいて当業者により容易に予測されたものである。
　
　
　
６．むすび
　以上のとおりであるから、本願発明は、上記の引用刊行物に記載された発明、及び周知の技術に基づいて当業者が容易に発明をすることができたものであり、特許法第２９条第２項の規定により特許を受けることができないものである。
　したがって、本願の請求項１ないし７及び請求項９ないし２３に係る発明については検討するまでもなく、本出願は拒絶すべきものである。
　よって、結論のとおり審決する。